(57)【要約】【課題】  再生情報を３線式シリアルインターフェース等の少ない信号線で転送する場合に、記録に必要のない無効データが記録媒体に記録されることを防止することができる情報再生記録装置を提供する。【解決手段】  音楽データ再生部２はデータ信号ＤＡＴＡ、クロック信号ＬＲＣＫ，ＢＣＫを録音有効期間制御部３に出力するとともに、曲間データを含む音楽データを出力している間、ＳＰＡＣＥ信号を録音有効期間制御部３に出力する。このＳＰＡＣＥ信号が出力されている間、信号は高速エンコーダ４に転送されてクロック信号ＬＲＣＫ，ＢＣＫに基づいてデータ信号ＤＡＴＡがエンコーディング処理され、ＨＤＤ５によりハードディスクに記録される。一方、ＳＰＡＣＥ信号が出力されていない間は、録音有効期間制御部３がクロック信号ＬＲＣＫの転送を停止し、無効データのハードディスクへの記録が防止される。【選択図】      図１
2006012392.tif 000002
【特許請求の範囲】
【請求項１】
情報記録媒体に記録された情報を再生する再生手段と、上記再生手段からの情報を転送する情報転送手段と、上記情報転送手段からの情報を記録する記録手段とを備え、
上記再生手段が情報の有効期間信号を上記情報転送手段に入力し、上記有効期間信号が入力されないとき、上記情報転送手段が上記記録手段へのデータ転送を停止することを特徴とする情報再生記録装置。
【請求項２】
請求項１に記載の情報再生記録装置において、
上記情報転送手段と上記記録手段との間に情報を圧縮処理する圧縮処理手段を備えたことを特徴とする情報再生記録装置。
【請求項３】
請求項１または請求項２に記載の情報再生記録装置において、
上記再生手段が３線式シリアルインターフェースのデータ転送方式でデータを出力し、上記有効期間信号が入力されないとき、上記情報転送手段が入力されるデータ信号ＤＡＴＡ、クロック信号ＬＲＣＫ，ＢＣＫのうち、少なくともＬＲＣＫ，ＢＣＫのどちらか１つの信号の転送を停止することを特徴とする情報再生記録装置。
【請求項４】
請求項１〜請求項３のいずれかに記載の情報再生記録装置において、
上記再生手段がＣＤ再生手段であることを特徴とする情報再生記録装置。
【請求項５】
請求項１〜請求項３のいずれかに記載の情報再生記録装置において、
上記再生手段がＤＶＤ再生手段であることを特徴とする情報再生記録装置。
【請求項６】
請求項１〜請求項３のいずれかに記載の情報再生記録装置において、
上記再生手段が再生する情報が音楽情報であることを特徴とする情報再生記録装置。
【請求項７】
情報記録媒体に記録された情報を再生する再生手段と、再生された上記の情報を記録する記録手段とを含む情報再生記録装置における該再生手段および記録手段の間に組み込み可能な情報転送モジュールであって、
上記再生手段から出力される、上記情報の有効期間信号が入力されないとき、上記記録手段へのデータ転送を停止する停止手段を少なくとも有することを特徴とする情報転送モジュール。
【請求項８】
上記再生手段から出力される、データ信号ＤＡＴＡ、クロック信号ＬＲＣＫ，ＢＣＫを転送する３線式シリアルインターフェースのデータ転送方式によるデータを入力中、上記情報の有効期間信号が入力されないとき、上記データ信号ＤＡＴＡ、クロック信号ＬＲＣＫ，ＢＣＫのうち、少なくともＬＲＣＫ，ＢＣＫのどちらか１つの信号の転送を停止することを特徴とする請求項７に記載の情報転送モジュール。
【請求項９】
ＩＣチップとして形成されることを特徴とする請求項７に記載の情報転送モジュール。
【発明の詳細な説明】
【技術分野】
【０００１】
本発明は、音楽情報等の情報データが記録された記録媒体からそれに記録された情報データを再生し、それを他の記録媒体に記録する情報再生記録装置およびこれに用いる情報転送モジュールに関する。
【背景技術】
【０００２】
オーディオ装置、例えば、車載用オーディオ装置はＣＤプレーヤ等の記録媒体再生装置を備え、その再生装置で再生した音楽を音声再生系等により鑑賞することができるのみならず、例えば数十Ｇ（ギガ）バイトといった大容量のハードディスク及びそれを駆動するハードディスクドライブ（以下、ＨＤＤという）を備え、ＣＤ等の記録媒体を多数個分ハードディスクにダビングしておき、そのハードディスクから任意の音楽プログラムを選んで音楽再生系等により再生して鑑賞できるようにしたものがある（例えば、特許文献１参照。）。
【特許文献１】特開２００２−２３０８９３号公報
【０００３】
このようなオーディオ装置によれば、予め多数個の記録媒体、例えばＣＤの内容を内蔵ハードディスクに記録しておけば、ＣＤの出し入れをしなくても多数のＣＤのプログラム演奏の中からそのときの好みのものをハードディスクから読み出して簡単に鑑賞することができる。特に、運転しながら操作するケースの多い車載用オーディオ装置では、ハードディスクにダビングすることによりＣＤ等の記録媒体の出し入れをしなくて済むので安全運転の面からも好ましい。
【０００４】
図４は上記のようにＣＤの音楽情報を再生してハードディスクに記録する音楽再生記録装置の従来構成を示す図であり、音楽再生記録時には、システムコントローラ１の制御によって、ＣＤプレーヤ等の音楽データ再生部２がそれに装着されたＣＤ６を高回転速度により駆動し、高速回転するＣＤ６からそれに記録された複数の音楽情報データの夫々を読み出して再生し、出力する。再生されたデータは高速エンコーダ４により高速エンコーディング処理が施された後、記録用情報データとしてＨＤＤ５に供給され、このＨＤＤ５に内蔵されたハードディスク（図示せず）に記録される。
【発明の開示】
【発明が解決しようとする課題】
【０００５】
従来の音楽情報再生記録装置は上記のように構成されているが、音楽ＣＤには複数の曲が入っており、曲と曲の間は無音であったり、または連続した音楽データであったりするので、この曲間の音楽データを損なわず、かつ曲の繋がりに違和感がないようにハードディスクに録音するには、曲間を含め１曲の開始と終わりを識別し、その間の音楽データを順次再生して出力する必要がある。
【０００６】
このため、システムコントローラ１が一曲目の再生を指示すると、音楽データ再生部２はその曲の開始と終わりを識別し、その間の音楽データと曲間データとを再生して出力し、この１曲目のデータのハードディスクへの記録が完了すると、システムコントローラ１が次の曲の再生を指示し、音楽データ再生部２が次の曲のデータの出力を開始するので、音楽データ再生部２からは、図５に示すように音楽データと曲間データよりなる有効データと、次曲データ等の無効データとが交互に出力される。
【０００７】
即ち、無効データは、一曲目の音楽データを圧縮、記録等の処理をするに際し、この処理期間に来る、音楽データを含まない再生データを無視する必要があるために存在するものであり、このような処理の後、有効データとして次の曲の頭からの再生データが送信されるようになっている。
【０００８】
このような情報再生記録装置において、３線式シリアルインターフェース（ＳＰＩ：Serial Peripheral Interface）等の少ない信号線でデータを転送するデータ転送方式を採用すると、上記の無効データもエンコードされてハードディスクに記録され、曲のつながりに違和感が生じることがあった。
【０００９】
すなわち、上記３線式シリアルインターフェースのデータ転送方式では、Ｌチャンネル信号とＲチャンネル信号とが交互に並んだ音声信号データ（ＤＡＴＡ）を転送する場合、クロック信号ＬＲＣＫとクロック信号ＢＣＫとを同時に転送する。ここで、クロック信号ＬＲＣＫは、Ｌチャンネル転送データとＲチャンネル転送データとを識別するための転送クロックであり、クロック信号（ビットクロック信号）ＢＣＫは転送データ（音楽データ）ＤＡＴＡの入出力のタイミングを決めるために用いられる転送クロックである。
【００１０】
そして、エンコーダ４は上記クロック信号ＬＲＣＫ及びＢＣＫの両者を受信すると、信号データＤＡＴＡをエンコードするように構成されているが、上記のように、３線式シリアルインターフェースに使用される信号はデータ信号ＤＡＴＡ、クロック信号ＬＲＣＫ及びＢＣＫであり、これらの転送信号には音楽データの曲間を含む曲の開始と終わりの情報が無いため、無効データ等の冗長なデータがエンコード処理されてハードディスクに記録されてしまうことがあり、このハードディスクに記録された音楽を再生した場合に、曲間で不必要な信号が再生されて違和感が生じることがあった。
【００１１】
本発明は、上記の問題に鑑みてなされたもので、再生手段により再生された情報を３線式シリアルインターフェース等の少ない信号線で転送する場合に、記録に必要のない無効データが記録媒体に記録されることを防止することができる情報再生記録装置およびこれに用いる情報転送モジュールを提供することを目的とする。
【課題を解決するための手段】
【００１２】
上述の目的を達成するため、本発明に係る第１の態様の情報再生記録装置は、
情報記録媒体に記録された情報を再生する再生手段と、上記再生手段からの情報を転送する情報転送手段と、上記情報転送手段からの情報を記録する記録手段とを備え、
上記再生手段が情報の有効期間信号を上記情報転送手段に入力し、上記有効期間信号が入力されないとき、上記情報転送手段が上記記録手段へのデータ転送を停止することを特徴とする。
【００１３】
また、本発明に係る第２の態様の情報再生記録装置は、上記第１の態様の情報再生記録装置において、
上記情報転送手段と上記記録手段との間に情報を圧縮処理する圧縮処理手段を備えたことを特徴とする。
【００１４】
さらに、本発明に係る第３の態様の情報再生記録装置は、上記第１の態様または第２の態様の情報再生記録装置において、
上記再生手段が３線式シリアルインターフェースのデータ転送方式でデータを出力し、上記有効期間信号が入力されないとき、上記情報転送手段が入力されるデータ信号ＤＡＴＡ、クロック信号ＬＲＣＫ，ＢＣＫのうち、少なくともＬＲＣＫ及びＢＣＫのどちらか１つの信号の転送を停止することを特徴とする。
【００１５】
また、本発明に係る第４の態様の情報再生記録装置は、上記第１、第２および第３の態様の情報再生記録装置のいずれかにおいて、
上記再生手段がＣＤ再生手段であることを特徴とする。
【００１６】
さらに、本発明に係る第５の態様の情報再生記録装置は、上記第１、第２および第３の態様の情報再生記録装置のいずれかにおいて、
上記再生手段がＤＶＤ再生手段であることを特徴とする。
【００１７】
また、本発明に係る第６の態様の情報再生記録装置は、上記第１、第２および第３の態様の情報再生記録装置のいずれかにおいて、
上記再生手段が再生する情報が音楽情報であることを特徴とする。
【００１８】
さらにまた、本発明に係る情報転送モジュールは、情報記録媒体に記録された情報を再生する再生手段と、再生された上記の情報を記録する記録手段とを含む情報再生記録装置における該再生手段および記録手段の間に組み込み可能な情報転送モジュールであって、
上記再生手段から出力される、上記情報の有効期間信号が入力されないとき、上記記録手段へのデータ転送を停止する停止手段を少なくとも有することを特徴とする。
【００１９】
また、上記情報転送モジュールは、上記再生手段から出力される、データ信号ＤＡＴＡ、クロック信号ＬＲＣＫ，ＢＣＫを転送する３線式シリアルインターフェースのデータ転送方式によるデータを入力中、上記情報の有効期間信号が入力されないとき、上記データ信号ＤＡＴＡ、クロック信号ＬＲＣＫ，ＢＣＫのうち、少なくともＬＲＣＫ，ＢＣＫのどちらか１つの信号の転送を停止することを特徴とする。
【００２０】
さらに、上記情報転送モジュールは、ＩＣチップとして形成されることを特徴とする。
【発明の効果】
【００２１】
本発明に係る上記第１〜第６の態様の情報再生記録装置によれば、ＣＤプレーヤ、ＤＶＤプレーヤ等の再生手段が情報の有効期間信号を情報転送手段に入力し、上記有効期間信号が入力されないとき、上記情報転送手段が、例えば、３線式シリアルインターフェースのデータ転送方式のデータ信号ＤＡＴＡ、クロック信号ＬＲＣＫ，ＢＣＫのうちの、少なくともＬＲＣＫ及びＢＣＫのどちらか１つの信号の転送を停止するので、３線式シリアルインターフェースなどの少ない信号線で４倍速録音などの高速リッピングが可能になるとともに、上記の無効データが圧縮、記録されることを防止することができるので、記録手段に記録された情報、例えば、音楽情報を再生した場合、曲のつながりに違和感がないようにすることができる。
【００２２】
また本発明に係る上記情報転送モジュールによれば、どのような形式の情報再生記録装置に対しても、この装置が元々有する再生手段および記録手段の間に、単に該モジュールを挿入するだけで、記録に必要のない無効データを、該記録手段に入力することを防止することができる。
【実施例】
【００２３】
以下、本発明の情報再生記録装置を、一例として音楽情報再生記録装置に適用した場合の実施例について、図面を用いて説明する。図１は音楽情報再生記録装置の概略ブロック図であり、図に示すように、音楽情報再生記録装置はシステムコントローラ１、音楽データ再生部２、情報転送手段としての録音有効期間制御部３、高速エンコーダ４およびＨＤＤ５により構成されている。
【００２４】
システムコントローラ１は、所定のシステムプログラムを実行することにより音楽情報再生記録装置の全体の動作を制御し、音楽データ再生部２は、複数の音楽情報データが記録されたＣＤ６が装着され、その装着されたＣＤ６を、データの記録時における回転速度と実質的に等しい通常回転速度により駆動する第１の状態と、通常回転速度の、例えば、４倍の高回転速度で駆動する第２の状態と、を選択的に切り換えることができる。
【００２５】
また、ユーザにより操作される操作部（図示せず）からの信号を受け、システムコントローラ１は上述したような音楽データ再生部２に再生指示をする。
【００２６】
更にシステムコントローラ１は、高速エンコーダ４から、ある曲のエンコードならびにＨＤＤ５への記録処理が完了したことを示す処理完了信号を受けると、次の曲の頭から再生するように音楽データ再生部２に指示する。
【００２７】
そしてこの音楽データ再生部２は、ＣＤ６を高回転速度で駆動する場合、高速回転するＣＤ６から、それに記録された複数の音楽情報データの夫々を読み出して時間圧縮された圧縮データとして順次再生し、３線式シリアルインターフェースの信号、即ち、データ信号ＤＡＴＡ、クロック信号ＬＲＣＫ、ＢＣＫを録音有効期間制御部３に出力するとともに、ＣＤ６から出力される曲間情報に基づいて曲の終了を検知して、図２（ｂ）に示すような、曲間を含む曲の開始と終わりを識別できる録音有効期間信号（以下、ＳＰＡＣＥ信号という）を、録音有効期間制御部３に出力する。
【００２８】
即ち、音楽データ再生部２はシステムコントローラ１からの再生指示に基づき、ある曲の頭から再生した時にＳＰＡＣＥ信号を立ち上げ、その後その曲間データも含む曲の終了を検知すると、ＳＰＡＣＥ信号を立ち下げる。更にシステムコントローラ１から次の曲の再生指示があると、当該次の曲の頭から再生すると共にＳＰＡＣＥ信号を立ち上げ、その後その曲間データも含む曲の終了を検知すると、ＳＰＡＣＥ信号を立ち下げる。
【００２９】
また、前述した情報転送手段としての録音有効期間制御部３は、上記のＳＰＡＣＥ信号がオンの期間中は、音楽データ再生部２からのデータ信号ＤＡＴＡ、クロック信号ＬＲＣＫ，ＢＣＫを高速エンコーダ４に転送し、一方、上記ＳＰＡＣＥ信号がオフの期間中は、クロック信号ＬＲＣＫ，ＢＣＫのどちらか、例えば、クロック信号ＬＲＣＫの転送を停止する。なお、上記情報転送手段は、情報転送モジュール（３ｍ）としてこれ単独でＩＣチップ化することができる。その具体的構成例を後に図示する（図３）。
【００３０】
高速エンコーダ４は入力されたデータ信号ＤＡＴＡをクロック信号ＬＲＣＫ，ＢＣＫに基づいて所定の圧縮形式にしたがって高速エンコードし、エンコーディング処理したデータを記録用情報データとしてＨＤＤ５に供給する。なおこの高速エンコーダ４は、このようなＬＲＣＫ，ＢＣＫの信号が到来しない（クロックが来ない）場合は、そのエンコード処理を中止するように元々設定されている。
【００３１】
ＨＤＤ５は音楽を記憶する記憶媒体であるハードディスクを駆動することにより、ＣＤ等の記録媒体からの信号を高速エンコーダ４によってエンコーディング処理した記録用情報データとして、ＨＤＤ５に内蔵されているハードディスク（図示せず）に記憶する。
【００３２】
次に、音楽データ再生部２によりＣＤ６を４倍速で再生して音楽データをハードディスクに記録する場合の作用について、図２のデータ及び動作波形図を用いて説明する。
【００３３】
ＣＤ６にはそのプログラム領域に音楽信号等がトラック別にデジタル記録されるとともに、そのリードイン領域に各トラックの位置を示す情報等のＴＯＣ（Table Of Contents）情報が記録されており、ＣＤの再生時には、音楽データ再生部２及びシステムコントローラ１は、再生記録すべきプログラム情報のトラック番号を、それぞれに設けられたトラック記憶部（図示せず）に記憶する。
【００３４】
すなわち、ユーザがＣＤ６を音楽データ再生部２に装着すると、音楽データ再生部２はＣＤ６に記録されている情報の開始アドレス及び終了アドレスと、その情報の楽曲名等の目録情報とを読み取り、これらの管理データから、楽曲毎のプログラム情報を識別するためのトラック番号を取得して上記のトラック記憶部に記憶する。
【００３５】
そして、情報の４倍速読出し記録が指示されると、システムコントローラ１は音楽データ再生部２に最初の曲の高速読み出しを指示し、音楽データ再生部２はデータ信号ＤＡＴＡ、クロック信号ＬＲＣＫ，ＢＣＫを録音有効期間制御部３に出力するとともに、曲間データを含む音楽データを出力している間、図２（ｂ）に示すＳＰＡＣＥ信号を録音有効期間制御部３に出力する。
【００３６】
録音有効期間制御部３はこのＳＰＡＣＥ信号が出力されている間、データ信号ＤＡＴＡ、クロック信号ＬＲＣＫ，ＢＣＫを高速エンコーダ４に転送し、高速エンコーダ４がクロック信号ＬＲＣＫ，ＢＣＫに基づいてデータ信号ＤＡＴＡをエンコーディング処理し、記録用音楽データがＨＤＤ５に送られてハードディスクに記録される。
【００３７】
そして、そのハードディスクへの記録が完了すると、システムコントローラ１は次の曲のデータの再生を指示するが、次の曲の再生データが出力されるまでの間、図２（ａ）に示すように、データ信号ＤＡＴＡとして無効データが出力されている。しかしこの間は音楽データ再生部２からＳＰＡＣＥ信号が出力されていないので、録音有効期間制御部３は、図２（ｄ）に示すように、クロック信号ＬＲＣＫの転送を停止する。
【００３８】
これにより、高速エンコーダ４はエンコーディング処理を行うことができず、無効データがエンコーディング処理されてハードディスクに記録されることはない。したがって、このハードディスクに記録されたデータには、図２（ｅ）に示すように、各曲の間に無効データを含むことがない。したがって、この音楽データを再生した場合に、曲のつながりに違和感が生じることを防止することができる。
【００３９】
図３は本発明に係る情報転送モジュール３ｍの具体的構成例を示す図である。本図において、３ｍは情報転送モジュールであり、１つのＩＣチップとして形成することができる。本図において既に図１に示した信号は、ＢＣＫ，ＤＡＴＡおよびＬＲＣＫであり、ＳＰである。ＳＰはＳＰＡＣＥ信号である。その他の信号については後述する。
【００４０】
図３において本発明に特に関係する構成要素について以下に簡単に説明すると、
１）ＢＣＫ
本図の実施例ではゲートスルーで出力する場合を示すが、このＢＣＫの転送を停止させるように構成しても良い。
【００４１】
２）ＤＡＴＡ
ＤＡＴＡイネーブル信号生成部１１のイネーブル信号で、録音しない期間をＡＮＤゲート１２でマスク（Ｌｏｗレベル出力）する。
なお、ＤＡＴＡイネーブル信号生成部１１はＤＡＴＡにハザードがでないようにマスクするタイミングを制御する。
【００４２】
３）ＬＲＣＫ
ＬＲＣＫイネーブル信号生成部１３のイネーブル信号で、録音しない期間をＡＮＤゲート１４でマスク（Ｌｏｗ／Ｈｉｇｈレベル出力）する。セレクタ部１５はＬＲＣＫの開始（Ｌｃｈ側）がＬｏｗ／Ｈｉｇｈのどちらにも対応する為のものである。なお、ＬＲＣＫイネーブル信号生成部１３は、ＬＲＣＫにハザードがでないようにマスクするタイミングを制御する。
【００４３】
なおブランク転送処理部（Ｉ）１６およびブランク転送処理部（II）１７は、録音された最終曲の終わりを処理するために設けた部分であり、前述した本発明に係る主要な機能には直接関係しない。
【００４４】
本図左上の同期部（Ｉ）がＳＰＡＣＥ信号ＳＰを入力として、その出力の１つをＤＡＴＡイネーブル信号生成部１１およびＬＲＣＫイネーブル信号生成部１３にそれぞれ入力し、高速エンコーダ４へのデータの停止を実行しまたは解除する。
【００４５】
以上述べた機能部分が主として、情報転送モジュール３ｍにおける前記の停止手段を構成する。なお、上記において説明されていない各信号の役割を簡単に示すと以下のとおりである。
【００４６】
ＣＬＫ                ：システムクロック
ＲＳＴＸ              ：リセット
ＲＥＧ ＦＲ          ：ＬＲＣＫのＬｃｈ側の極性を設定
０：ＬＲＣＫのＬｏｗレベル期間がＬｃｈ
１：ＬＲＣＫのＨｉｇｈレベル期間がＬｃｈ
ＲＥＧ ＰＳＨ        ：ブランク転送機能の設定
ＲＥＧ ＰＣＭＡＣＴＲ：ＰＣＭ入力バッファのブランクデータ書き込みカウント数
（ＬＲＣＫの数）
ＬＯＡＤ              ：ＲＥＧ ＰＣＭＡＣＴＲのロード信号
ＲＥＧ ＦＳ１        ：等、４，８倍速切り替え信号（上位ｂｉｔ）
ＲＥＧ ＦＳ０        ：等、４，８倍速切り替え信号（下位ｂｉｔ）
ＰＳＨＢＵＳＹ        ：ＰＣＭ入力バッファへのブランクデータ転送フラグ
ＳＰ ＦＤＩＦＦ      ：ＳＰの立ち下がり微分パルス（ワンショット）
【００４７】
以上詳述した実施例では、録音有効期間信号がないとき、クロック信号ＬＲＣＫの転送を停止するようにしたが、クロック信号ＢＣＫの転送を停止するようにすることもでき、さらには全ての信号の転送を停止するようにすることも可能である。
【００４８】
また、上記の実施例では再生データを３線式シリアルインターフェースのデータ転送方式で転送する例について説明したが、３線式シリアルインターフェース以外のデータの開始と終わりの情報を含まないようなデータ転送方式を用いた情報再生記録装置にも、本発明を適用することができる。
【００４９】
さらに、上記の実施例では、ＣＤの音楽情報をハードディスクに記録する例を説明したが、その他の様々な記録媒体、例えばデジタルビデオディスク（ＤＶＤ）等の光学式記録媒体からハードディスク以外の様々な記憶手段に記録する場合にも、本発明の情報再生記録装置を適用することができ、また、記録媒体の情報は音楽以外の画像等種々の情報であっても、本発明の情報再生記録装置を適用することが可能である。
【００５０】
さらに、上記の実施例では、クロック信号ＬＲＣＫの転送を停止、又は、クロック信号ＢＣＫの転送を停止するようにしたが、これに限らず、例えば高速エンコーダにＳＰＡＣＥ信号を与え、無効データが検出されている間（ＳＰＡＣＥ信号が入力されていない間）は録音有効期間制御部３から出力されるデータを無視して（エンコード処理しないようにして）、実質的に無効データの区間がない再生データをＨＤＤに記録させるようにしても良い。
【図面の簡単な説明】
【００５１】
【図１】本発明の情報再生記録装置を適用した音楽情報再生記録装置の概略ブロックを示す図である。
【図２】音楽データをＨＤＤに記録する場合のデータ及び動作波形を示す図である。
【図３】本発明の情報転送モジュールの具体的構成例を示す図である。
【図４】従来の音楽情報再生記録装置の概略ブロックを示す図である。
【図５】音楽情報再生記録装置の再生データを示す図である。
【符号の説明】
【００５２】
１    システムコントローラ
２    音楽データ再生部
３    録音有効期間制御部
３ｍ    情報転送モジュール
４    高速エンコーダ
５    ＨＤＤ
６    ＣＤ
【図１】
2006012392.tif 000003
【図２】
2006012392.tif 000004
【図３】
2006012392.tif 000005
【図４】
2006012392.tif 000006
【図５】
2006012392.tif 000007